(57)【特許請求の範囲】
【請求項１】
位置情報決定システムによって実行されるセル情報を利用した位置情報決定方法であって、
前記セル情報を受信する段階、および
複数のセル情報それぞれとマッチングされた位置情報が格納された位置情報データベースで前記セル情報とマッチングする位置情報を移動端末の位置情報として決める段階
を含み、
前記決める段階は、前記位置情報データベースに前記セル情報とマッチングする位置情報が存在しない場合に、
前記移動端末が属する基地局の周辺に位置する隣接基地局のセル識別子情報に基づいて前記移動端末が属する基地局の位置を推定する段階、および
推定された位置に該当するセル形状に基づいて前記移動端末の位置情報を決める段階
を含むことを特徴とする、位置情報決定方法。
【請求項２】
前記セル情報とマッチングする位置情報は、
移動端末が属する基地局のセル形状に基づいて計算された重心に該当する位置座標を含むことを特徴とする、請求項１に記載の位置情報決定方法。
【請求項３】
前記位置情報を決める段階は、
前記セル情報とマッチングする位置情報が属する地域の行政区域情報を決めることを特徴とする、請求項１に記載の位置情報決定方法。
【請求項４】
前記決める段階は、
前記セル情報に基づいて前記隣接基地局を決める段階、
をさらに含み、
前記セル形状に基づいて前記移動端末の位置情報を決める段階は、
前記推定された位置に該当するセル形状に基づいて前記移動端末が属する基地局がカバーするセルの重心を計算する段階、および
前記セルの重心に該当する位置情報を前記移動端末の位置情報として決める段階
を含む、請求項１に記載の位置情報決定方法。
【請求項５】
前記セルの重心に該当する位置情報と前記移動端末が属する基地局のセル情報とをマッチングして前記位置情報データベースに追加する段階
をさらに含むことを特徴とする、請求項４に記載の位置情報決定方法。
【請求項６】
前記セル情報とマッチングする位置情報は、
移動端末が属する基地局がカバーするセル内で、移動端末の現在位置座標または近似位置座標を含むことを特徴とする、請求項１に記載の位置情報決定方法。
【請求項７】
前記移動端末の位置情報に基づいて位置基盤サービスを提供する段階
をさらに含むことを特徴とする、請求項１に記載の位置情報決定方法。
【請求項８】
衛星から移動端末のＧＰＳ（Ｇｌｏｂａｌ  Ｐｏｓｉｔｉｏｎｉｎｇ  Ｓｙｓｔｅｍ）情報または付加位置情報を受信する段階、および
前記移動端末のＧＰＳ情報、または付加位置情報に基づいて前記移動端末の位置情報をアップデートする段階
をさらに含むことを特徴とする、請求項１に記載の位置情報決定方法。
【請求項９】
前記セル情報は、
移動端末が位置する国の識別情報、通信社識別情報、位置地域コード（Ｌｏｃａｔｉｏｎ  Ａｒｅａ  Ｃｏｄｅ：ＬＡＣ）情報、前記移動端末が属する基地局の識別情報、および基地局がカバーするセルの識別情報のうちの少なくとも１つを含むことを特徴とする、請求項１に記載の位置情報決定方法。
【請求項１０】
前記位置情報を提供する段階は、
移動端末が属する地域のカバレッジが大きい場所から細かくなるほど鮮明に表示することを特徴とする、請求項９に記載の位置情報決定方法。
【請求項１１】
前記移動端末のセル情報が存在しないことにしたがい、以前のセル情報とマッチングする位置情報を移動端末の位置情報として決めることを特徴とする、請求項１に記載の位置情報決定方法。
【請求項１２】
セル情報を受信する情報受信部、および
複数のセル情報それぞれとマッチングされた位置情報が格納された位置情報データベースで、前記セル情報とマッチングする位置情報を移動端末の位置情報として決める位置決定部
を備え、
前記位置決定部は、前記位置情報データベースに前記セル情報とマッチングする位置情報が存在しない場合に、前記移動端末が属する基地局の周辺に位置する隣接基地局のセル識別子情報に基づいて前記移動端末が属する基地局の位置を推定し、推定された位置に該当するセル形状に基づいて前記移動端末の位置情報を決めることを特徴とする、位置情報決定システム。
【請求項１３】
前記セル情報とマッチングする位置情報は、
移動端末が属する基地局のセル形状に基づいて計算された重心に該当する位置座標を含むことを特徴とする、請求項１２に記載の位置情報決定システム。
【請求項１４】
前記位置決定部は、
前記セル情報とマッチングする位置情報が属する地域の行政区域情報を決めることを特徴とする、請求項１２に記載の位置情報決定システム。
【請求項１５】
前記位置決定部は、
セルの重心に該当する位置情報と移動端末が属する基地局のセル情報とをマッチングして前記位置情報データベースに追加することを特徴とする、請求項１２に記載の位置情報決定システム。
【請求項１６】
前記セル情報とマッチングする位置情報は、
移動端末が属する基地局がカバーするセル内で、移動端末の現在位置または近似位置を含むことを特徴とする、請求項１２に記載の位置情報決定システム。
【請求項１７】
前記位置決定部は、
前記移動端末の位置情報に基づいて位置基盤サービスを提供することを特徴とする、請求項１２に記載の位置情報決定システム。
【請求項１８】
前記移動端末の位置情報は、
移動端末のＧＰＳ（Ｇｌｏｂａｌ  Ｐｏｓｉｔｉｏｎｉｎｇ  Ｓｙｓｔｅｍ）情報、または付加位置情報に基づいてアップデートされることを特徴とする、請求項１２に記載の位置情報決定システム。
【請求項１９】
ユーザの移動端末にアプリケーションをインストールするためのインストールファイルを配布するファイル配布システムであって、
前記インストールファイルを格納および管理するインストールファイル管理部、および
前記移動端末の要請に応じて前記インストールファイルを前記移動端末に送信するインストールファイル送信部
を備え、
前記アプリケーションは、
複数のセル情報それぞれとマッチングされた位置情報が格納された位置情報データベースで前記セル情報とマッチングする位置情報を移動端末の位置情報として決め、前記位置情報データベースに前記セル情報とマッチングする位置情報が存在しない場合に、前記移動端末が属する基地局の周辺に位置する隣接基地局のセル識別子情報に基づいて前記移動端末が属する基地局の位置を推定し、推定された位置に該当するセル形状に基づいて前記移動端末の位置情報を決めるように前記移動端末を制御し、
前記移動端末の位置情報を表示するように前記移動端末を制御することを特徴とする、ファイル配布システム。
【発明の詳細な説明】
【技術分野】
【０００１】
本発明の実施形態は、端末の位置を基盤としてユーザの便宜のための多様なサービスを提供するシステムおよび方法に関する。
【背景技術】
【０００２】
スマートフォンのような移動通信端末機は、携帯電話にインターネット通信や情報検索などのコンピュータサポート機能を追加した知能型端末機であって、ユーザが所望するアプリケーションをインストールすることができることを特徴とする。このような移動端末は、ユーザが所望するアプリケーションをインストールし、インストールしたアプリケーションにしたがって多様な機能を活用することができる。
【０００３】
例えば、ユーザが、目的地までの道順を検索するために道案内アプリケーションを実行させたとする。そうすると、移動端末には、ユーザの現在位置を基盤として目的地までの道を案内する地図がディスプレイされるようになる。
【０００４】
このとき、ユーザは、位置基盤サービスの提供を即座に受けたいと思うことから、時間の遅延はユーザの不満の原因となる。
【０００５】
さらに、移動端末にユーザの現在位置が正しく表示されることによって目的地までの道案内が正確になされるようになるが、移動端末にユーザの現在位置がまったく異なる位置で表示される場合が頻繁に発生する。例えば、ユーザがＡ地域の会社にいるにも係わらず、ユーザの現在位置がＢ地域の自宅と表示される場合がある。これにより、位置基盤サービスを利用する場合に不正確なサービスがユーザに提供される恐れがある。
【０００６】
したがって、より正確にユーザの位置を把握し、ユーザの位置を基盤とするサービスをより迅速に移動端末に提供することのできる技術が求められている。
【発明の概要】
【発明が解決しようとする課題】
【０００７】
セル情報を利用して端末の現在位置をより正確に決め、決められた端末の位置に基づいて位置基盤サービスを迅速に提供することができる位置情報決定方法、およびこのような位置情報決定方法を実行するように移動端末を制御するアプリケーションのインストールファイルを配布するシステムを提供する。
【課題を解決するための手段】
【０００８】
位置情報決定システムによって実行されるセル情報を利用した位置情報決定方法であって、セル情報を受信する段階、および複数のセル情報それぞれとマッチングされた位置情報が格納された位置情報データベースで前記セル情報とマッチングする位置情報を移動端末の位置情報として決める段階を含んでもよい。
【０００９】
一側面によると、前記セル情報とマッチングする位置情報は、移動端末が属する基地局のセル形状に基づいて計算された重心に該当する位置座標を含んでもよい。
【００１０】
他の側面によると、前記位置情報を決める段階は、前記セル情報とマッチングする位置情報が属する地域の行政区域情報を決めてもよい。
【００１１】
また他の側面によると、前記決める段階は、前記セル情報に基づいて移動端末が属する基地局の周辺に位置する隣接基地局を決める段階、隣接基地局のセル識別子情報に基づいて前記移動端末が属する基地局の位置を推定する段階、推定された基地局の位置に該当するセル形状に基づいて前記移動端末が属する基地局がカバーするセルの重心を計算する段階、および前記セルの重心に該当する位置情報を前記移動端末の位置情報として決める段階を含んでもよい。
【００１２】
また他の側面によると、前記セルの重心に該当する位置情報と移動端末が属する基地局のセル情報とをマッチングして前記位置情報データベースに追加する段階をさらに含んでもよい。
【００１３】
また他の側面によると、前記セル情報とマッチングする位置情報は、移動端末が属する基地局がカバーするセル内で移動端末の現在位置座標または近似位置座標を含んでもよい。
【００１４】
また他の側面によると、前記移動端末の位置情報に基づいて位置基盤サービスを提供する段階をさらに含んでもよい。
【００１５】
また他の側面によると、衛星から移動端末のＧＰＳ（Ｇｌｏｂａｌ  Ｐｏｓｉｔｉｏｎｉｎｇ  Ｓｙｓｔｅｍ）情報、または付加位置情報を受信する段階、および前記移動端末のＧＰＳ情報、または付加位置情報に基づいて前記移動端末の位置情報をアップデートする段階をさらに含んでもよい。
【００１６】
また他の側面によると、前記セル情報は、前記移動端末が位置する国の識別情報、通信社識別情報、位置地域コード（Ｌｏｃａｔｉｏｎ  Ａｒｅａ  Ｃｏｄｅ：ＬＡＣ）情報、前記移動端末が属する基地局の識別情報、および基地局がカバーするセルの識別情報のうちの少なくとも１つを含んでもよい。
【００１７】
また他の側面によると、前記位置情報を提供する段階は、移動端末が属する地域のカバレッジが大きい場所から細かくなるほど鮮明に表示することができる。
【００１８】
また他の側面によると、前記移動端末のセル情報が存在しないことにしたがい、以前のセル情報とマッチングする位置情報を移動端末の位置情報として決めてもよい。
【００１９】
セル情報を利用した位置情報決定システムであって、セル情報を受信する情報受信部、および複数のセル情報それぞれとマッチングされた位置情報が格納された位置情報データベースで前記セル情報とマッチングする位置情報を移動端末の位置情報として決める位置決定部を備えてもよい。
【００２０】
ユーザの移動端末にアプリケーションをインストールするためのインストールファイルを配布するファイル配布システムであって、前記インストールファイルを格納および管理するインストールファイル管理部、および前記移動端末の要請に応じて前記インストールファイルを前記移動端末に送信するインストールファイル送信部を備えてもよい。ここで、前記アプリケーションは、複数のセル情報それぞれとマッチングされた位置情報が格納された位置情報データベースで前記セル情報とマッチングする位置情報を移動端末の位置情報として決めるように前記移動端末を制御し、前記移動端末の位置情報を表示するように前記移動端末を制御してもよい。
【発明の効果】
【００２１】
セル情報を利用して端末の現在位置を決めることにより、より正確かつ迅速に移動端末に位置基盤サービスを提供することができる。
【図面の簡単な説明】
【００２２】
【図１】本発明の一実施形態における、位置情報決定方法の実行環境の例を示した図である。
【図２】本発明の一実施形態における、位置情報決定方法の例を示したフローチャートである。
【図３】本発明の他の実施形態における、位置情報決定方法の例を示したフローチャートである。
【図４】本発明の一実施形態における、セル情報を利用して移動端末の位置情報を決める例を示した図である。
【図５】本発明の一実施形態における、セル情報に基づいて基地局を推定して移動端末の位置情報を決める例を示した図である。
【図６】本発明の一実施形態における、移動端末に位置基盤サービスを提供する例を示した図である。
【図７】本発明の一実施形態における、位置情報決定システムの内部構成を説明するためのブロック図である。
【図８】本発明の一実施形態における、位置基盤サービス提供方法の実行環境の例を示した図である。
【発明を実施するための形態】
【００２３】
以下、本発明の実施形態について、添付の図面を参照しながら詳細に説明する。
【００２４】
図１は、本発明の一実施形態における、位置情報決定方法の実行環境の例を示した図である。図１は、ユーザの移動端末１１０、位置情報決定システム１００、情報受信部１１１、位置決定部１１２、および位置情報データベース１１３を示している。
【００２５】
移動端末１１０は、スマートフォンのように移動通信とデータ通信のすべてが可能なユーザの携帯機器であってもよく、位置情報決定システム１００は、移動端末１１０の要請に応じて位置情報データベース１１３を参照しながら移動端末１１０の位置情報を決めてもよい。
【００２６】
ここで、位置情報決定システム１００は、セル情報を利用することでより正確な端末１１０の現在位置を決め、決められた現在位置を基盤とするサービスを移動端末１１０に提供することができるように、情報受信部１１１および位置決定部１１２を備えてもよい。
【００２７】
例えば、位置基盤サービスは、端末の現在位置を基盤とする、天気情報サービス、位置基盤知識検索サービス、位置基盤アプリ検索サービス、位置基盤割引情報サービス、位置基盤ゲームサービス、位置基盤音楽サービス、道案内サービスなどを含んでもよい。
【００２８】
図１では、移動端末１１０と位置情報決定システム１００を別の構成要素として図示して説明しているが、これは一実施形態に過ぎず、位置情報決定システム１００は移動端末１１０に含まれてもよい。例えば、移動端末１１０は、位置基盤サービスの提供を受けるためにアプリを実行することによって移動端末のセル情報とマッチングする位置情報を決め、決められた位置情報に基づいて位置基盤サービスを表示してもよい。
【００２９】
さらに、図１では、位置情報データベース１１３が位置情報決定システム１００内に含まれるものと説明しているが、これは一実施形態に過ぎず、位置情報データベース１１３は、位置情報決定システム１００とネットワークを介して連結する別の格納装置に含まれてもよい。
【００３０】
図２は、本発明の一実施形態における、位置情報決定方法の例を示したフローチャートである。本実施形態に係る位置情報決定方法は、図１を参照しながら説明した位置情報決定システム１００によって実行されてもよい。
【００３１】
段階２０１で、情報受信部１１１は、移動端末のセル情報を受信してもよい。ここで、セル情報は、移動端末が位置する国の識別情報、通信社識別情報、位置地域コード（Ｌｏｃａｔｉｏｎ  Ａｒｅａ  Ｃｏｄｅ：ＬＡＣ）情報、移動端末が属する基地局の識別情報、および基地局がカバーするセルの識別情報のうちの少なくとも１つを含んでもよい。
【００３２】
一例として、移動端末１１０と位置情報決定システム１００が物理的に別の装置で構成された場合、情報受信部１１１は、移動端末１１０からセル情報を受信してもよい。ここで、基地局は、移動端末１１０の位置を周期的またはリアルタイムで常時確認してもよい。このために、移動端末１１０が移動するたびに、移動端末１１０の現在位置を示すセル情報もアップデートされてもよい。そうすることで、ユーザが天気情報サービスなどの位置基盤サービスを利用しようとする場合、移動端末１１０は、移動端末のセル情報を位置情報決定システム１００に送信してもよい。ここで、移動端末のセル情報は、移動端末１１０の内部メモリまたはＳＩＭカードに格納されてもよい。
【００３３】
他の例として、位置情報決定システム１００が移動端末１１０に含まれる場合、情報受信部１１１は、基地局（図示せず）からセル情報を受信してもよい。ここで、情報受信部１１１は、基地局から周期的またはリアルタイムでセル情報を受信してアップデートしてもよい。
【００３４】
ここで、ユーザが天気情報サービスなどの位置基盤サービスを利用しようとする場合、位置情報決定システム１００は、位置基盤サービスを提供するときにセル情報を連係してもよい。
【００３５】
そうすると、段階２０２で、位置決定部１１２は、情報受信部１１１で受信したセル情報とマッチングする位置情報を位置情報データベース１１３から検索してもよい。そして、検索された位置情報を移動端末の位置情報として決めてもよい。
【００３６】
ここで、決められた位置情報は、移動端末が属する基地局がカバーする移動端末の現在位置座標、または移動端末の大略的な位置座標を示す近似位置座標を含んでもよい。
【００３７】
一例として、位置情報データベース１１３には、各基地局がカバーするセルの重心に該当する位置座標が、移動端末の位置情報として、セル情報のうちの少なくとも１つとマッチングされて予め格納されていてもよい。そうすると、位置決定部１１２は、セル情報に含まれた少なくとも１つの情報とマッチングする位置情報を位置情報データベース１１３から検索するようになる。例えば、位置決定部１１２は、位置情報データベース１１３からセル識別子情報とマッチングする位置情報を検索して移動端末の位置情報として決めてもよい。
【００３８】
ここで、移動端末１１０がセルの重心に該当する位置に存在する場合、位置決定部１１２は、移動端末１１０の実際の位置と一致する位置座標を移動端末１１０の位置情報として決めてもよい。例えば、移動端末１１０がＡ地域のＰ公園に位置する場合、位置決定部１１２は、Ａ地域のＰ公園を移動端末の位置情報として決めてもよい。
【００３９】
また、移動端末１１０がセルの重心に該当する位置に存在しない場合、位置決定部１１２は、移動端末１１０の実際の位置からは少し離れるが、セル半径内に含まれる近似位置座標を移動端末１１０の位置情報として決めてもよい。ここで、近似位置座標は、移動端末１１０が位置する実際の位置座標と誤差範囲内で隣接する大略的な位置座標を含んでもよい。
【００４０】
例えば、移動端末１１０がＡ地域のＰ公園に位置する場合、近似位置座標は、Ａ地域のＱマートに該当する位置座標を含んでもよい。言い換えれば、位置決定部１１２は、Ａ地域内の位置座標を移動端末の位置情報として決めてもよい。このように、都心の場合にはフェムトセルやマイクロセルなどの小さな基地局が多いため、近似位置座標は、移動端末１１０の実際の位置に近い位置座標を含んでもよい。
【００４１】
また、位置決定部１１２は、決められた移動端末の位置情報を移動端末１１０のディスプレイに表示してもよい。ここで、位置決定部１１２は、単純に移動端末の位置情報を移動端末１１０に表示してもよいし、移動端末の位置情報に該当する行政区域情報を決め、行政区域情報と位置情報を共に移動端末１１０に表示してもよい。ここで、行政区域情報とは、移動端末の位置座標が属する行政区域を示してもよい。
【００４２】
また、位置決定部１１２は、移動端末が属する地域のカバレッジが大きい場所から細かくなるほど鮮明に表示してもよい。例えば、国、市、区、洞などのように行政区域単位が細かくなるほど、グラデーションを利用して移動端末の位置情報１１０を鮮明に表示してもよい。一例として、位置情報と行政区域情報を共に移動端末に提供する場合、位置情報データベース１１３には、各基地局がカバーするセルの重心に該当する位置座標、前記重心に該当する位置座標が属する行政区域情報、およびセル識別情報のうちの少なくとも１つの情報がマッチングされて予め格納されてもよい。
【００４３】
例えば、行政区域情報は、ＡＡ市ＢＢ区ＣＣ洞、ＢＢ区ＣＣ洞、ＣＣ洞、ＤＤ県ＥＥ市ＦＦ通り、ＥＥ市ＦＦ通り、ＦＦ通り、またはＦＦ通りｎ番地などを含むことがある。ここで、ＡＡ市ＢＢ区ＣＣ洞に移動端末１１０の位置情報および行政区域情報が決められた場合、ＡＡ市からＣＣ洞の順に行政区域の単位が細かくなるため、移動端末１１０は、ＡＡ市からＣＣ洞の順に鮮明に表示することで移動端末の現在位置をユーザに提供してもよい。このように、移動端末１１０の位置情報および行政区域情報が決められることにしたがい、移動端末１１０は、決められた移動端末の位置情報および行政区域情報のうちの少なくとも１つを基盤とした位置基盤サービスを表示してもよい。
【００４４】
例えば、位置基盤サービスは、端末の現在位置を基盤とする、天気情報サービス、位置基盤知識検索サービス、位置基盤アプリ検索サービス、位置基盤割引情報サービス、位置基盤ゲームサービス、位置基盤音楽サービス、道案内サービス、位置基盤地図サービスなどを含んでもよい。
【００４５】
ここで、位置基盤地図サービスの場合、移動端末１１０は、位置情報に該当する行政区域のうち、国、市、郡などのように広い範囲の上位行政区域を先に表示した後、ユーザ選択にしたがって区や洞のように詳細行政区域を表示してもよい。ここで、位置情報決定システムで位置基盤サービスを提供する詳しい説明については、図６を参照しながら後述する。
【００４６】
図２で説明したように、セル情報を利用して決められた移動端末の位置に基づいて位置基盤サービスを提供する場合、移動端末１１０は、位置基盤サービスの要請直後に位置基盤サービスの提供を受けることができる。
【００４７】
一例として、位置情報決定システム１００は、位置情報データベース１１３からセル情報とマッチングする位置情報を直ぐに検索し、検索された位置情報に基づいて位置基盤サービスを移動端末１１０に提供してもよい。これにより、移動端末１１０の実際の位置を計算する時間が必要なくなるため、位置情報決定システム１００は、移動端末１１０から要請を受けた直後に位置基盤サービスを提供することができる。
【００４８】
他の例として、位置情報決定システム１００が移動端末１１０に含まれる場合、位置情報決定システム１００は、位置基盤サービス時にセル情報とマッチングする位置情報を位置情報データベース１１３から直ぐに検索してもよい。その後、位置情報決定システム１００は、検索された位置情報に基づいて位置基盤サービスを表示してもよい。
【００４９】
このとき、近似位置座標は、移動端末１１０の正確な現在位置ではなくても、洞単位などの地域のように、移動端末１１０が現在位置する地域には該当するようになる。これにより、位置情報決定システム１００は、移動端末１１０の現在位置とはまったく異なる地域の位置基盤サービスを提供するということがなくなるため、位置基盤サービスに対するユーザの満足度を増加させることができる。
【００５０】
図３は、本発明の他の実施形態における、位置情報決定方法の例を示したフローチャートである。図３の位置情報決定方法は、図１を参照しながら説明した位置情報決定システム１００によって実行されてもよい。
【００５１】
段階３０１で、位置決定部１１２は、移動端末１１０のセル情報に基づいて決められた移動端末の位置情報を移動端末１１０に提供してもよい。ここで、移動端末１１０のセル情報は、情報受信部１１１が移動端末１１０から受信してもよいし、基地局（図示せず）から受信してもよい。
【００５２】
このとき、位置決定部１１２は、位置情報と共に行政区域情報を決めて移動端末１１０に表示してもよい。そして、１１２位置情報および行政区域情報のうちの少なくとも１つを基盤とする位置基盤サービスが移動端末１１０に表示されてもよい。ここで、移動端末１１０に位置決定部１１２で決められた移動端末の位置情報と行政区域情報が表示される動作、および位置基盤サービスが表示される動作は、図２の段階２０１および段階２０２と同じであるため、繰り返される説明は省略する。
【００５３】
続いて、段階３０２で、情報受信部１１１は、衛星から移動端末１１０のＧＰＳ（Ｇｌｏｂａｌ  Ｐｏｓｉｔｉｏｎｉｎｇ  Ｓｙｓｔｅｍ）や周辺のＷｉｆｉ、ビーコンなどの付加位置情報を受信してもよい。
【００５４】
これにより、位置決定部１１２は、使用可能なＧＰＳおよび／またはＷｉｆｉ、ビーコンなどの付加位置情報に基づいて移動端末１１０の実際の位置座標を計算し、計算された位置座標を移動端末の位置情報として決めてもよい。
【００５５】
続いて、段階３０３で、位置決定部１１２は、移動端末１１０に既に提供されている位置情報を、前記決められた移動端末の位置情報にアップデートしてもよい。
【００５６】
例えば、段階３０１で、移動端末の近似位置座標を移動端末の位置情報として決めて表示した場合、位置決定部１１２は、移動端末の近似位置座標を実際の位置座標としてアップデートして表示してもよい。そして、位置決定部１１２は、前記アップデートされた実際の位置座標に基づいて位置基盤サービスをアップデートして表示してもよい。このように、位置決定部１１２は、ユーザが先ず確認することができるように近似位置座標に基づいた位置基盤サービスを先に提供した後、実際の位置座標に基づいてアップデートされた位置基盤サービスを提供してもよい。これにより、位置基盤サービスの提供を受けるための待機時間によるユーザの不満を解消すると同時に、より正確な位置基盤サービスを提供することができる。
【００５７】
図４は、本発明の一実施形態における、セル情報を利用して移動端末の位置情報を決める例を示した図である。図４を参照すると、都心の場合には、フェムトセルやマイクロセルなどの小さな基地局が多く設置されていることがある。
【００５８】
例えば、位置情報決定システム１００は、基地局１がカバーするセル１の形状に基づいてセル１の重心を計算してもよい。ここで、セル１の形状は、多角形（又はポリゴン）、円形、楕円形などのように多様であってもよい。また、位置情報決定システム１００は、セル１の重心に該当するＧＰＳまたはＷｉｆｉ位置座標４０２をセル１の識別情報とマッチングして位置情報データベース１１３を構築してもよい。
【００５９】
ここで、位置情報決定システム１００は、セル１の識別情報の他に、基地局１の識別情報、ＬＡＣ１情報などのセル情報を、セル１の重心に該当するＧＰＳまたはＷｉｆｉ位置座標とマッチングさせてもよい。
【００６０】
このように、位置情報決定システム１００は、収集された各地域に存在するすべての基地局それぞれがカバーするセルの重心を計算してもよい。また、位置情報決定システム１００は、計算された各基地局がカバーするセルの重心に該当するＧＰＳまたはＷｉｆｉ位置座標とセル情報とをマッチングして位置情報データベース１１３を構築してもよい。
【００６１】
また、位置情報決定システム１００は、セル情報だけでなく、行政区域情報をセル１の重心に該当するＧＰＳまたはＷｉｆｉ位置座標とマッチングさせて位置情報データベース１１３を構築することも可能である。同じ方法により、位置情報決定システム１００は、各セル情報、各行政区域情報、および各セルの重心に該当するＧＰＳまたはＷｉｆｉ位置座標とマッチングさせて位置情報データベース１１３を構築することも可能である。
【００６２】
一例として、周辺銀行の検索などの位置基盤サービスが要請された場合、情報受信部１１１は、移動端末１１０または基地局（図示せず）から移動端末１１０のセル情報を受信してもよい。そうすると、位置決定部１１２は、移動端末のセル情報とマッチングする位置座標を移動端末１１０の位置情報として決めてもよい。例えば、位置決定部１１２は、位置情報データベース１１３からセル１の識別情報とマッチングするＧＰＳまたはＷｉｆｉ位置座標４０２を検索して移動端末１１０の位置情報として決めてもよい。ここで、ＧＰＳまたはＷｉｆｉ位置座標４０２は、セル１の重心に該当するＧＰＳまたはＷｉｆｉ位置座標であってもよい。
【００６３】
そうすると、位置決定部１１２は、決められた位置情報に基づいた周辺銀行検索などの位置基盤サービスを表示してもよい。図４のように、移動端末１１０の実際の位置は、ファーストフード店１前の位置座標４０３であるが、位置決定部１１２は、移動端末１１０の位置情報を位置座標４０３と隣接する位置座標４０２として決め、位置基盤サービスの要請を受けた直後に位置座標４０２に基づく位置基盤サービスを移動端末１１０に表示してもよい。
【００６４】
これにより、本発明に係る位置情報決定システム１００は、移動端末の実際の位置座標４０３を計算するまでの時間を費やすことなく、直ぐに位置基盤サービスを提供することができる。
【００６５】
さらに、位置基盤サービスは、行政区域（洞、通り）単位で提供される場合が大部分であるが、移動端末の実際の位置座標４０３が属する行政区域（洞、通り）と前記決められた位置座標４０２が属する行政区域とが同一あるいは隣接する行政区域に該当するため、本発明に係る位置情報決定システム１００は、より正確な位置基盤サービスを提供することができる。
【００６６】
このとき、位置情報決定システム１００は、移動端末の実際の位置座標４０３を基準として広い行政区域を先に表示した後、ユーザの選択にしたがって詳細行政区域を表示してもよい。また、位置情報決定システム１００は、行政区域が大きい場所から移動端末の実際の位置座標４０３まで細かくなるほど鮮明に表示してもよい。
【００６７】
また、図３で説明したように、移動端末のＧＰＳ情報、またはＷｉｆｉなどの付加位置情報が受信された場合、位置情報決定システム１００は、ＧＰＳ情報、またはＷｉｆｉなどの付加位置情報に基づいて移動端末の実際の位置座標４０３を計算してもよい。これにより、位置情報決定システム１００は、既に表示された移動端末の位置情報を、位置座標４０２から実際の位置座標４０３にアップデートして表示してもよい。これにより、移動端末の位置情報を基盤する位置基盤サービスも、位置４０３に基づいてアップデートされてもよい。
【００６８】
図５は、本発明の一実施形態における、セル情報に基づいて基地局を推定して移動端末の位置情報を決める例を示した図である。図５では、位置情報データベース１１３に移動端末１１０のセル情報とマッチングする位置座標が存在しない場合に移動端末１１０の位置情報を決める動作について説明する。
【００６９】
先ず、位置決定部１１２は、情報受信部１１１で受信したセル情報に基づき、移動端末１１０が属する基地局の周辺に位置する１つ以上の隣接基地局を位置情報データベース１１３で決めてもよい。
【００７０】
このとき、位置決定部１１２は、受信したセル情報と位置情報データベース１１３に格納されたセル情報とを比べ、移動端末１１０が属する基地局の周辺に位置する１つ以上の隣接基地局を検索してもよい。例えば、位置決定部１１２は、受信したセル情報の基地局識別子情報、ＬＡＣ情報などが一致する基地局を隣接基地局として検索してもよい。これにより、位置決定部は、隣接基地局のセル識別子情報に基づいて移動端末１１０の位置座標を決めてもよい。
【００７１】
一例として、セル５０１、セル５０２、セル５０３、およびセル５０４をカバーする基地局１〜４が隣接基地局として決まってもよい。一般的に、セル識別子情報は、１１、１７、１９などのように予め定められた特定値で終わるため、位置決定部１１２は、セル５０１〜セル５０４のセル識別子情報に基づいて移動端末１１０が属する基地局の位置を推定してもよい。例えば、位置決定部１１２は、移動端末１１０が属する基地局がセル５０５に位置すると推定してもよい。
【００７２】
このとき、移動端末１１０が属する基地局の推定が困難であったり、推定エラーによって情報受信部１１１に受信された移動端末のセル情報が存在しなかったりする場合、位置決定部１１２は、すぐ前に最後に受信されたセル情報を利用して移動端末１１０の位置座標を決めてもよい。例えば、位置決定部１１２は、最後に受信したセル情報とマッチングする位置情報を移動端末１１０の位置座標として決めてもよい。続いて、位置決定部１１２は、推定されたセル５０５のセル形状に基づいて重心を計算し、計算された重心に該当する位置座標５０６を移動端末１１０の位置情報として決めてもよい。そして、位置決定部１１２は、移動端末の行政区域情報を決めることも可能である。これにより、位置決定部１１２は、移動端末１１０の位置情報および行政区域情報のうちの少なくとも１つを表示してもよい。このとき、位置決定部１１２は、前記位置情報および行政区域情報のうちの少なくとも１つに基づいた位置基盤サービスを表示してもよい。
【００７３】
そして、位置決定部１１２は、前記計算された重心に該当する位置座標５０６と移動端末１１０のセル情報とをマッチングして位置情報データベース１１３に追加してもよい。このとき、位置決定部１１２は、行政区域情報を共にマッチングして位置情報データベース１１３に追加することも可能である。
【００７４】
図６は、本発明の一実施形態における、移動端末に位置基盤サービスを提供する例を示した図である。図６の６０１は、移動端末の位置情報を基盤として天気情報を移動端末に表示する例を説明するために提供された図である。
【００７５】
一例として、移動端末１１０で天気アプリケーションを実行させて移動端末１１０が位置する地域の天気情報を位置情報決定システム１００に要請した場合、位置情報決定システム１００は、前に決められた移動端末１１０の位置情報に基づいて天気情報を移動端末１１０に提供してもよい。この場合、セル情報に基づいて移動端末１１０の位置が決められることにより、位置情報決定システム１００は、移動端末１１０の要請時に遅延なく直ぐに移動端末１１０が属する位置または行政区域の天気情報を提供することができる。このように、天気情報サービスは洞単位で提供されるため、位置情報決定システム１００は、移動端末１１０の正確な位置座標ではない近似位置座標だけでも、正確な天気情報サービスをユーザに直ぐに提供することができる。
【００７６】
図６の６０２は、知識検索アプリを移動端末１１０に表示する例を示した図である。
【００７７】
一例として、移動端末１１０で知識検索アプリを実行させて病院、銀行などのような特定の建物の位置を要請した場合、位置情報決定システム１００は、前に決められた移動端末１１０の位置情報に基づいて特定の建物の位置を移動端末１１０に提供してもよい。
【００７８】
このとき、位置情報決定システム１００は、移動端末の位置情報に該当する行政区域情報を決め、行政区域情報と位置情報を共に移動端末１１０に提供することも可能である。これにより、移動端末１１０には、特定の建物の位置、移動端末の位置情報、および行政区域情報が共に表示されてもよい。ここで、移動端末の位置情報は近似位置座標であってもよい。これにより、位置情報決定システム１００は、移動端末が属する基地局がカバーするセル領域に関する情報を移動端末１１０に提供することも可能となる。例えば、移動端末１１０に、特定の建物の位置、行政区域情報、移動端末の位置情報と共にセル領域６０３が表示されてもよい。このとき、セル領域６０３は、移動端末１１０が位置するセル領域ではない場所と区分されるように、ハイライト、輪郭線、陰影処理されて移動端末１１０に表示されてもよい。
【００７９】
図６の６０４を参照すると、移動端末１１０で割引情報アプリを実行させて割引情報を要請した場合、位置情報決定システム１００は、前に決められた移動端末１１０の位置情報に基づき、移動端末１１０が位置する地域で実行されている割引情報を移動端末１１０に提供してもよい。
【００８０】
一例として、位置情報決定システム１００は、移動端末１１０が位置する地域および周辺地域に位置する会社のうち、割引クーポンを提供する会社の関連情報を移動端末１１０に提供してもよい。例えば、ランチ時間などのような特定時間のみ利用可能な割引クーポン、特定メニューの割引クーポンなどが移動端末１１０に提供されてもよい。このとき、割引クーポンの枚数が限定的であったり、使用期間が定められたりしている場合、移動端末１１０には、クーポンの残りの枚数および使用期間が共にディスプレイされてもよい。
【００８１】
図６の６０５を参照すると、移動端末１１０で検索アプリを実行させた場合、位置情報決定システム１００は、前に決められた移動端末１１０の位置情報に基づき、移動端末１１０が位置する地域と関連するアプリを移動端末に提供してもよい。このとき、位置情報決定システム１００は、生活／経済、飲食店、病院、金融、ベストなどのように、カテゴリ別に関連アプリを提供してもよい。
【００８２】
また、移動端末１１０で位置基盤音楽アプリケーションを実行させた場合、位置情報決定システム１００は、前に決められた移動端末１１０の位置情報に基づき、移動端末１１０が位置する地域と関連する音楽を移動端末１１０に提供してもよい。例えば、決められた移動端末１１０の位置情報がカンファムン（光化門）前に該当する場合、位置情報決定システム１００は、カンファムン恋歌などのようにカンファムンと関連する１つ以上の音楽を移動端末１１０に提供してもよい。
【００８３】
また、移動端末１１０で位置基盤ゲームアプリケーションを実行させた場合、位置情報決定システム１００は、前に決められた移動端末１１０の位置情報に基づき、移動端末１１０が位置する地域と同一あるいは隣接する地域に位置するゲームユーザを１つのチームとして構成して移動端末１１０に提供してもよい。
【００８４】
図６では、移動端末１１０と位置情報決定システム１００を別の装置に分離して説明しているが、これは一実施形態に過ぎず、移動端末１１０自体が位置情報決定システム１００であってもよい。例えば、移動端末１１０が天気、割引情報アプリなどの位置基盤提供アプリを実行することにしたがい、セル情報とマッチングする位置情報、行政区域情報を決めてもよい。そして、移動端末１１０は、前記決められた位置情報および行政区域情報に基づいた位置基盤サービスを表示してユーザに提供してもよい。
【００８５】
図７は、本発明の一実施形態における、位置情報決定システムの内部構成を説明するためのブロック図である。図７において、位置情報決定システム７００は、移動端末と有線または無線で通信を実行する別の装置であってもよいし、移動端末自体であってもよい。
【００８６】
本実施形態に係る位置情報決定システム７００は、プロセッサ７１０、バス７２０、ネットワークインタフェース７３０、およびメモリ７４０を含んでもよい。メモリ７４０は、オペレーティングシステム７４１および位置情報提供ルーチン７４２を含んでもよい。
【００８７】
プロセッサ７１０は、情報受信部７１１および位置決定部７１２を備えてもよく、メモリ７４０に格納された位置情報提供ルーチン７４２を実行することによって実現する。他の実施形態において、位置情報決定システム７００は、図７の構成要素よりもさらに多くの構成要素を含んでもよい。しかし、大部分の従来技術構成要素を明確に図に示す必要はない。例えば、位置情報決定システム７００は、ディスプレイなどの他の構成要素を含んでもよい。
【００８８】
メモリ７４０は、コンピュータで読み取り可能な記録媒体であって、ＲＡＭ（ｒａｎｄｏｍ  ａｃｃｅｓｓ  ｍｅｍｏｒｙ）、ＲＯＭ（ｒｅａｄ  ｏｎｌｙ  ｍｅｍｏｒｙ）、およびディスクドライブのような永久大容量記憶装置（ｐｅｒｍａｎｅｎｔ  ｍａｓｓ  ｓｔｏｒａｇｅ  ｄｅｖｉｃｅ）を含んでよい。また、メモリ７４０には、オペレーティングシステム７４１と位置情報提供ルーチン７４２のためのプログラムコードが格納されてよい。このようなソフトウェア構成要素は、ドライブメカニズム（ｄｒｉｖｅ  ｍｅｃｈａｎｉｓｍ）（図示せず）を利用してメモリ７４０とは別のコンピュータで読み取り可能な記録媒体からロードされてもよい。このような別のコンピュータで読み取り可能な記録媒体は、フロッピードライブ、ディスク、テープ、ＤＶＤ／ＣＤ−ＲＯＭドライブ、メモリカードなどのコンピュータで読み取り可能な記録媒体（図示せず）を含んでよい。他の実施形態において、ソフトウェア構成要素は、コンピュータで読み取り可能な記録媒体ではないネットワークインタフェース７３０を利用してメモリ７４０にロードされてもよい。
【００８９】
バス７２０は、位置情報決定システム７００の構成要素間の通信およびデータ送信を可能にする。バス７２０は、高速シリアルバス、パラレルバス、ＳＡＮ（Ｓｔｏｒａｇｅ  Ａｒｅａ  Ｎｅｔｗｏｒｋ）、および／または他の適切な通信技術を利用して構成されてもよい。
【００９０】
ネットワークインタフェース７３０は、位置情報決定システム７００をコンピュータネットワークに接続するためのコンピュータハードウェア構成要素であってよい。ネットワークインタフェース７３０は、位置情報決定システム７００を無線または有線接続を介してコンピュータネットワークに接続させてもよい。
【００９１】
プロセッサ７１０は、基本的な算術、ロジック、および位置情報決定システム７００の入出力演算を実行することにより、コンピュータプログラムの命令を処理するように構成されてよい。命令は、メモリ７４０またはネットワークインタフェース７３０によって、バス７２０を介してプロセッサ７１０に提供されてよい。プロセッサ７１０は、情報受信部７１１および位置決定部７１２のためのプログラムコードを実行するように構成されてよい。このようなプログラムコードは、メモリ７４０のような記録装置に格納されてもよい。
【００９２】
ここで、情報受信部７１１および位置決定部７１２は、上述した図２の段階２０１〜２０３および図３の段階３０１〜３０３を実行するために構成されてもよい。
【００９３】
先ず、移動端末１１０がアプリケーションを実行させて位置基盤サービスを要請することにしたがい、情報受信部７１１は、移動端末１１０からセル情報を受信してもよい。例えば、移動端末１１０が天気情報を要請するアプリケーションを実行させた場合、情報受信部７１１は、移動端末１１０から移動端末のセル情報を受信してもよい。
【００９４】
ここで、セル情報は、移動端末が位置する国の識別情報、通信社識別情報、位置地域コード（Ｌｏｃａｔｉｏｎ  Ａｒｅａ  Ｃｏｄｅ：ＬＡＣ）情報、移動端末が属する基地局の識別情報、および基地局がカバーするセルの識別情報のうちの少なくとも１つを含んでもよい。
【００９５】
続いて、位置決定部７１２は、情報受信部７１１で受信した移動端末のセル情報とマッチングする位置情報を位置情報データベース１１３から検索して移動端末の位置情報として決めてもよい。
【００９６】
ここで、位置情報データベース１１３には、各基地局がカバーするセルの重心に該当する位置座標が、移動端末の位置情報として、セル情報のうちの少なくとも１つとマッチングされて予め格納されてもよい。
【００９７】
そうすると、移動端末１１０は、決められた移動端末の位置情報を表示してもよい。ここで、移動端末１１０は、前記決められた移動端末の位置情報に基づいた位置基盤サービスを表示することも可能である。
【００９８】
また、位置情報データベース１１３には、各基地局がカバーするセルの重心に該当する位置座標が、セル情報および行政区域情報とマッチングされて予め格納されてもよい。
【００９９】
そうすると、位置決定部７１２は、情報受信部７１１で受信した移動端末のセル情報とマッチングする位置情報と行政区域情報を位置情報データベース１１３から検索してもよい。そして、検索された位置情報を移動端末１１０の位置情報として決めてもよい。そうすると、移動端末１１０は、前記決められた位置情報と検索された行政区域情報を共に表示してもよい。
【０１００】
一例として、移動端末１１０で天気情報サービスを要請した場合、移動端末１１０は、前記決められた移動端末１１０の位置情報と行政区域情報に基づき、前記移動端末１１０が属する行政区域の天気情報を表示してもよい。
【０１０１】
ここで、移動端末１１０の位置情報は、移動端末１１０が属する基地局がカバーするセル内で、移動端末１１０の現在位置座標、または近似位置座標を含んでもよい。
【０１０２】
また、位置決定部７１２は、移動端末のＧＰＳや、周辺のＷｉｆｉ、ビーコンなどの付加位置情報に基づいて移動端末の位置情報をアップデートしてもよい。そうすると、移動端末１１０は、移動端末の位置情報をアップデートして表示してもよい。
【０１０３】
一例として、情報受信部７１１が、移動端末のＧＰＳ情報や周辺のＷｉｆｉ、ビーコンなどの付加位置情報を受信したとする。そうすると、位置決定部７１２は、ＧＰＳまたはＷｉｆｉなどの付加位置情報に基づいて移動端末の現在位置座標を計算してもよい。このとき、現在位置座標を計算するために時間が要されるため、位置決定部７１２は、セル情報とマッチングされる位置情報を優先的に移動端末の位置情報として決めてもよい。
【０１０４】
そうすると、移動端末１１０は、前記決められた位置情報と位置基盤サービスを優先的に表示してもよい。この後、前記現在位置座標の計算が完了すると、移動端末１１０は、該当の座標に移動端末の位置情報をアップデートして表示してもよい。このように、移動端末の位置情報がアップデートされることにより、位置基盤サービスもアップデートされてもよい。
【０１０５】
例えば、移動端末１１０にディスプレイされる移動端末の位置がセルの重心に該当する位置座標からＧＰＳまたはＷｉｆｉ座標にアップデートされたとする。このとき、セルの重心に該当する位置座標とアップデートされた座標の行政区域とが同じである場合、位置基盤サービスで提供される情報は変更されずにそのまま提供されてもよい。
【０１０６】
これとは反対に、セルの重心に該当する位置座標とアップデートされた座標の行政区域とが異なる場合、位置基盤サービスで提供される情報は、アップデートされた座標に基づいた情報にアップデートされてもよい。例えば、セルの重心に該当する位置座標が属する行政区域がＡ地域であり、アップデートされた座標の行政区域がＢ地域である場合、Ａ地域の天気情報をＢ地域の天気情報にアップデートしてもよい。一般的に、都心の場合にはフェムトセルまたはマイクロセロ基地局が多く設置されているため、１つのセルは同じ行政区域である場合が大部分である。これだけでなく、隣接する隣接セルも同じである行政区域である場合が大部分である。これにより、セルの重心に該当する位置座標とアップデートされた位置座標とが異なったとしても、位置基盤サービスが行政区域単位で提供されるという点において、位置決定部７１２は正確な位置基盤サービスを提供することができる。
【０１０７】
このとき、位置情報データベース１１３にセル情報とマッチングする位置情報が存在しない場合もある。
【０１０８】
そうすると、位置決定部７１２は、セル情報に基づき、移動端末１１０が属する基地局の周辺に位置する１つ以上の隣接基地局を位置情報データベース１１３で決めてもよい。このとき、位置決定部７１２は、セル情報と位置情報データベース１１３に格納されたセル情報とを比べ、移動端末１１０が属する基地局の周辺に位置する１つ以上の隣接基地局を検索してもよい。
【０１０９】
そして、位置決定部７１２は、隣接基地局のセル識別子情報に基づいて移動端末が属する基地局の位置を推定してもよい。そして、位置決定部７１２は、推定された位置に該当するセル形状に基づいて移動端末の位置情報を決めてもよい。そうすると、移動端末１１０は、前記決められた位置情報を表示してもよい。
【０１１０】
このとき、位置決定部７１２は、セルの重心に該当する位置情報と移動端末が属する基地局のセル情報とをマッチングして位置情報データベース１１３に追加してもよい。
【０１１１】
図８は、本発明の一実施形態における、位置基盤サービス提供方法の実行環境の例を示した図である。図８は、ユーザの移動端末８１０、ファイル配布システム８２０、およびインストールファイル１１３を示している。
【０１１２】
移動端末８１０は、スマートフォンのように移動通信とデータ通信とがすべて可能なユーザの携帯機器であってもよく、ファイル配布システム８２０は、インストールファイル８３０を提供するサーバであってもよい。例えば、ファイル配布システム８２０は、インストールファイル８３０を格納および管理するインストールファイル管理部８２１、および移動端末８１０の要請に応じてインストールファイル８３０を移動端末８１０に送信するインストールファイル送信部８２２を備えてもよい。
【０１１３】
移動端末８１０は、ファイル配布システム８２０から受信したインストールファイル８３０を通じてアプリケーションをインストールしてもよく、インストールされたアプリケーションにしたがって本発明の実施形態に係る位置情報決定方法、および決められた位置情報に基づいた位置基盤サービス提供方法を実行してもよい。
【０１１４】
例えば、アプリケーションは、位置情報データベースでセル情報とマッチングする位置情報を移動端末の位置情報として決めるように移動端末を制御してもよい。ここで、位置情報データベースには、複数のセル情報それぞれとマッチングされた位置情報が予め格納されていてもよい。そして、アプリケーションは、移動端末の位置情報、および前記位置情報に基づいた位置基盤サービスの内容を表示するように移動端末を制御してもよい。
【０１１５】
実施形態に係る方法は、多様なコンピュータ手段によって実行可能なプログラム命令の形態で実現されてコンピュータで読み取り可能な媒体に記録されてもよい。前記コンピュータで読み取り可能な媒体は、プログラム命令、データファイル、データ構造などを単独でまたは組み合わせて含んでもよい。前記媒体に記録されるプログラム命令は、実施形態のために特別に設計されて構成されたものであってもよいし、コンピュータソフトウェア当業者に公知な使用可能なものであってもよい。コンピュータで読み取り可能な記録媒体の例としては、ハードディスク、フロッピー（登録商標）ディスク、磁気テープのような磁気媒体、ＣＤ−ＲＯＭ、ＤＶＤのような光媒体、フロプティカルディスクのような光磁気媒体、およびＲＯＭ、ＲＡＭ、フラッシュメモリなどのようなプログラム命令を格納して実行するように特別に構成されたハードウェア装置が含まれる。プログラム命令の例は、コンパイラによって生成されるもののような機械語コードだけではなく、インタプリタなどを使用してコンピュータによって実行される高級言語コードを含む。上述したハードウェア装置は、実施形態の動作を実行するために１つ以上のソフトウェアモジュールとして動作するように構成されてもよく、その逆も同じである。
【０１１６】
以上のように、実施形態を、限定された実施形態と図面に基づいて説明したが、当業者であれば、上述した記載から多様な修正および変形が可能である。例えば、説明された技術が、説明された方法とは異なる順序で実行されたり、かつ／あるいは、説明されたシステム、構造、装置、回路などの構成要素が、説明された方法とは異なる形態で結合されたりまたは組み合わされたり、他の構成要素または均等物によって対置されたり置換されたとしても、適切な結果を達成することができる。
【０１１７】
したがって、異なる実施形態であっても、特許請求の範囲と均等なものであれば、添付される特許請求の範囲に属する。
【符号の説明】
【０１１８】
１００：位置情報決定システム
１１０：移動端末
１１１：情報受信部
１１２：位置決定部
１１３：位置情報データベース
【図１】
0006375443.tif 000002
【図２】
0006375443.tif 000003
【図３】
0006375443.tif 000004
【図４】
0006375443.tif 000005
【図５】
0006375443.tif 000006
【図６】
0006375443.tif 000007
【図７】
0006375443.tif 000008
【図８】
0006375443.tif 000009